(57)【要約】【課題】農作物をもぐらの被害から守るための安価で繰り返し使用可能な防護柵を提供する。【解決手段】立材・横材・シートまたはおよび網からなる柵状物で農作物を囲むことにした。柵面のうち地上部分と地下の地表近くの部分をシートとして、水分・肥料等の流出を防ぎ一層効果的に根部に補給することを可能にするとともに、地下部分を網または開孔のあるシートとして、もぐらが侵入しないようにした。さらに、柵面の下端部分に角度を持たせて、柵状物を容易に地面に突き刺せるようにした。また、柵状物の一端の立材に他端の立材を嵌合する機構を設けて、柵状物が簡易に連結できるようにするとともに、円形状・矩形状の囲い物にして農作物を個々にあるいは一群としての集まりとして、随時適宜囲むことができるようにした。【選択図】    図１
2008212014.tif 000002
【特許請求の範囲】
【請求項１】
立材と横材からなる柵状物であって、柵面にシートまたはおよび網を固着し、立材を横材・シートまたはおよび網とともに地面に突き刺して設置することにより、もぐらの侵入を阻止すること、を特徴とするもぐらからの防護柵。
【請求項２】
請求項１記載の発明において、柵面のうち地上部分と地下の地表近くの部分をシートとし、地下部分を網または開孔のあるシートとしたこと、を特徴とするもぐらからの防護柵。
【請求項３】
請求項１および請求項２記載の発明において、立材・横材・シートまたはおよび網からなる柵面の下端部分に角度を持たせたこと、を特徴とするもぐらからの防護柵。
【請求項４】
請求項１ないし請求項３記載の発明において、柵状物の一端の立材に他端の立材を嵌合する機構を設けたこと、を特徴とするもぐらからの防護柵。
【請求項５】
請求項１ないし請求項４記載の発明において、柵状物の中間の立材に他端の立材を嵌合する機構を設けたこと、を特徴とするもぐらからの防護柵。
【発明の詳細な説明】
【技術分野】
【０００１】
本願発明は、もぐらの被害から農作物を防護するための柵に関する。
【背景技術】
【０００２】
もぐらから受ける被害は深刻な場合が多く、それも土壌の良いところの農作物が多く被害を受けることから、従来から種々の方法・装置が提案されてきている。その主たる方法としては、捕獲・退治する方法と寄せ付けないまたは追いやる方法とに大別される。
捕獲・退治する方法としては、各種の捕獲器それももぐらの習性を考慮した捕獲器も提案され、また発煙装置を用いて酸欠を生じさせる方法等が提案されている。
また、後者の寄せ付けないまたは追いやる方法としては、通常の電池、太陽電池や風力を動力源として、回転体を用いて打撃・叩打によって音を出す方法あるいはプランジャ等の往復動体を用いて打撃・叩打音を発生させる方法や、振動波による方法、あるいは塩素系アルカリ溶液をはじめとして薬剤を撒布する方法、忌避剤を用いて寄せ付けない方法等が提案されている。
また、もぐらの学習能力を考慮して、単なる繰り返しの音や振動ではなく、ランダムな音や振動を用いる方法も考案されている。
【０００３】
しかし、捕獲器による方法は、捕獲の有無に絶えず注意を払わねばならず、また捕獲後の処理に問題が残り、もぐらが死んで腐敗した場合は、その近傍の田畑は当分の間使用できないという難点がある。
また、寄せ付けないまたは追いやる方法に用いる機器は、田畑の広い範囲に設置せねばならないことから費用がかさみ、もぐらは学習能力を有することから、やがて慣れてしまって以前よりも広範囲に動き回ることになり、効果は激減する。
さらに、薬剤を注入したり忌避剤を用いる方法は、撒布費用も掛かり、薬剤の効能期間も限られる。
【０００４】
【特許文献１】特許電子図書館の特許分類検索で、テーマ：２Ｂ１２１、  検索式：ＡＡ０４  で検索したが、該当すると思料できるものはありません。
【発明の開示】
【発明が解決しようとする課題】
【０００５】
本願発明の目的は、もぐらの捕獲を目的とするものではなく、農作物をもぐらの被害から守るための安価で繰り返し使用可能な防護柵を提供することにある。
すなわち、従来の追いやる方法とは異なり、農作物への侵入を阻止して、もぐらに農作物への侵入を断念させようというものである。
【０００６】
また、本願発明の目的は、農作物に必要とする水分・肥料等の流失を防ぎ、その効果をより一層に高めることにある。
【課題を解決するための手段】
【０００７】
上記課題を解決するため、本願発明は、農作物を、立材・横材・シートまたはおよび網からなる繰り返し使用可能な柵状物で囲むことにした。
【０００８】
また、柵面のうち地上部分と地下の地表近くの部分をシートとして、農作物が必要とする水分・肥料等の流出を防ぎ一層効果的に根部に補給することを可能にするとともに、地下部分を網または開孔のあるシートとして、もぐらの侵入を阻止するとともに、土壌の養分が周辺の土壌の養分と断絶しないようにした。
【０００９】
さらに、立材・横材・シートまたはおよび網からなる柵面の下端部分に角度を持たせて、柵状物を容易に地面に突き刺すことができるようにした。
【００１０】
また、柵状物の一端の立材に他端の立材を嵌合する機構を設けて、柵状物を簡易に連結可能にして長さを自在に設定できるようにし、さらに円形状・矩形状等の囲い物にすることにより農作物を個々にあるいは一群の集まりとして、随時適宜囲むことができるようにした。
【００１１】
また、柵状物の中間の立材に他端の立材を嵌合する機構を設けて、柵状物を交差状に連結可能にしたことから、矩形状等の形状にした囲い物内に区画を設けることができるようにした。
【発明の効果】
【００１２】
立材・横材・シートまたはおよび網からなる柵状物は、合成樹脂材を用いて型で成型製作できることから、多量に安価に製作でき、また繰り返し使用可能である。
【００１３】
柵面の地下部分を網または開孔のあるシートとしたことから、もぐらの侵入を阻止することができる。事実、過去２年間の実験では、もぐらによる農作物の被害は皆無である。また、柵によって柵内の土壌の養分が周辺の土壌の養分と断絶することもない。
【００１４】
柵面のうち地上部分と地下の地表近くの部分をシートとしたことから、農作物に必要とする水分・肥料等の流出を防ぎ一層効果的に根部に補給することができ、効能期間を長く維持することができることから、農作物の生育が良くなった。
【００１５】
さらに、立材・横材・シートまたはおよび網からなる柵面の下端部分に角度を持たせたことから、柵状物を地面に押し込めば簡単に突き刺すことができ、損耗率が減少したことから再使用の回数が増加した。
【００１６】
また、柵状物の一端の立材に他端の立材を嵌合する機構を設けたことから、柵状物が簡易に連続できるようになり、随時適宜、円形状・矩形状等の囲い物にして農作物個々の大きさあるいは農作物の一群としての集まりを考慮して囲むことができる。
【００１７】
また、柵状物の中間の立材に他端の立材を嵌合する機構を設け、柵状物を交差状に連結可能にし、矩形状等の形状にした囲い物内に任意に区画を設けることができるようにしたことから、囲い物としての強度を上げることができ、また、もぐらの侵入による被害を一部に留めることが可能になった。
【００１８】
本願発明は、農作物へのもぐらの侵入を阻止するものであるから、もぐらを捕獲したかどうか監視する必要も無く、また死骸の処置についても考慮する必要がない。
【発明を実施するための最良の形態】
【００１９】
図１に、本願発明の柵状物の実施例の正面図と右側面図を示す。
図２は、図１の実施例の上面図を示す。
図３は、図１の実施例の中間部の断面図を示す。
図４は、他の実施例で、他の嵌合機構および丸孔開孔シートを採用した実施例の正面図を示す。
図５は、本願発明の柵状物を用いて円形状の囲い物として、農作物、例えばキャベツ、を囲んで使用する場合の実施例を示す。
図６は、本願発明の柵状物を用いて矩形状の囲い物とし、さらに柵状物の中間立材に他の柵状物の立材を嵌合させて区画を設けて、使用する場合の実施例を示す。
【００２０】
図１の柵状物の実施例の立材としては、主柱に相当する立材と副柱に相当する副立材１２とからなる。主柱に相当する立材には、軸方向にスリットのある円筒状の端部立材（以下「スリット付き円筒状端部立材」という。）１１、中間立材１３、スリット付き円筒状中間立材１４および円柱状端部立材１５がある。副立材１２は、突き刺し易くするため、立材１１・１３・１４・１５より短くしてあるが、中間立材１３と同一のものとしてもよい。また、各立材の下端は地中に突き刺し易いように錐状にしてある。
【００２１】
図１の柵状物の実施例の横材としては、上部横材２１、中間横材２２および下部横材２３とからなる。上部横材には、突き刺し易くまた抜き取り易くするため、幅広の部材を採用してあり、また、下部横材は、地中に突き刺し易くするため、鋭角で各立材と一体化されている。なお横材の本数は実施例では３本であるが、本数を多くすることもできる。
【００２２】
各立材と上部横材２１・中間横材２２の間はシートが展張固着されている。シート３１は通常は開孔の無いものが使用されるが、必要に応じ小さな開孔を設けることも可能である。
【００２３】
各立材と中間横材２２・下部横材２３の間の柵面を構成する網３２は地中に突き刺されて埋没する部分であってこの部分がもぐらが地中から侵入するのを阻止する部分となる。
網は、もぐらの歯や腕力に耐える強度を有するものが望ましく、また網目の大きさはもぐらの侵入を阻止できる大きさ、通常は２ｃｍ前後、が望ましい。
なお、網とはせず、開孔３３のあるシートとすることもできる（図４）。
【００２４】
柵状物の大きさは、横方向は適宜選択できるが、通常は３０ｃｍから１ｍ程度である。立方向の長さとしては、地上に出る部分は通常は５ｃｍ前後であり、地中部分は畝の高さやもぐらの習性を考慮して通常は２５ｃｍから３５ｃｍ程度である。
【００２５】
図２は、図１の実施例の上部の平面図を示す。
本実施例の嵌合する機構としては、柵状物の一端のスリット付き円筒状端部立材１１に他端の円柱状端部立材１５を上方から押し込めば簡単に嵌合するようになっている。
上記嵌合する機構により、任意の長さの柵状物として連結することができ、さらに、円形状・矩形状の囲い物にして農作物個々の大きさあるいは農作物の一群としての集まりを考慮して、随時適宜囲むことができる。
【００２６】
図３は、図１の実施例の中間部の断面図を示す。
スリット付き円筒状中間立材１４に、他の柵状物の円柱状端部立材１５を上方から押し込めば簡単に嵌合するようになっており、これにより柵状物を交差状に連結可能にしたことから、矩形状等の形状にした囲い物内に区画を設けることができる。
【００２７】
本願発明の柵状物は、農作物を主体としたものであるから、それほど大きなものとはならないことから、合成樹脂材を用い、型で一体成型で製作するのが望ましい。なお、立材１１・１２・１３・１４・１５の下端に金属製の錐状の部品を埋めこんで、立材の先端を強化しても良い。
【００２８】
図４は、嵌合する機構の他の実施例を示す。
柵状物の一端の立材に他端の立材を嵌合する円筒状受け４６を設け、これに他端の立材に設けた円柱状凸起４７を差し込む形式のものである。
【００２９】
図５は、本願発明の柵状物を３枚用いて連結して円形状の囲い物とし、農作物、例えばキャベツ、を囲んで使用した場合の実施例を示す。
【００３０】
図６は、本願発明の柵状物を多数枚用いて連結し、矩形状の囲い物として使用した場合の実施例を示す。
本実施例の場合は、特に、対向する２個のスリット付き円筒状中間立材１４を利用し、間隔調整パネル５０を用いて、矩形状の囲い物の中に区画を設けている。この方法は、連続して一列に植えつける農作物、例えば葱・大根など、に適している方法である。
なお、間隔調整パネルは、横方向の大きさは柵状物のそれより小さなもので用は足りることから、両端に円柱状端部立材を有するだけの簡易な一枚物であれば足りるが、本願発明の柵状物の構造と類似の構造を採用しても良い。
【産業上の利用可能性】
【００３１】
本願発明は、農作物をもぐらからの被害から防御するものであり、農作物の保護の鑑点から産業上の利用可能性が極めて高いものである。
【００３２】
また、多量に使用されるものであるから、生産分野においても、産業上の利用可能性が極めて高いものである。
【００３３】
薬剤を使用しないことから、環境にやさしいものであり、環境保護上の面からも産業上望ましいものである。
【００３４】
もぐらの中には絶命寸前のものもあり、駆除しないですむ本願発明の柵状物は、環境の保全にも役立つものであり、産業上望ましいものである。
【図面の簡単な説明】
【００３５】
【図１】本願発明の柵状物の実施例の正面図と右側面図である。
【図２】図１の実施例の上部を示す平面図である。
【図３】図１の実施例の中間部の断面図である。
【図４】嵌合する機構の他の実施例を示す正面図である。
【図５】本願発明の柵状物を用い、円形状の囲い物にして農作物を囲んで使用した場合の実施例を示す斜視図である。
【図６】本願発明の柵状物を用い、矩形状の囲い物にし、さらに区画を設けた場合の実施例を示す斜視図であり、図１のＡ矢視断面相当を示す。
【符号の説明】
【００３６】
１１      スリット付き円筒状端部立材            ３１      シート
１２      副立材                                ３２      網
１３      中間立材                              ３３      開孔
１４      スリット付き円筒状中間立材      
１５      円柱状端部立材
２１      上部横材                              ４６      円筒状受け
２２      中間横材                              ４７      円柱状凸起
２３      下部横材                              ５０      間隔調整パネル
【図１】
2008212014.tif 000003
【図２】
2008212014.tif 000004
【図３】
2008212014.tif 000005
【図４】
2008212014.tif 000006
【図５】
2008212014.tif 000007
【図６】
2008212014.tif 000008